(57)【要約】蓋付き容器内の製品が、真正製品であるか贋物製品であるかを見分けるための蓋付き容器へのＩＣタグ付きシールの取り付け方法及びＩＣタグ付きシールを提供する。  ＩＣタグ付きシール（４００）は、蓋付き容器（６００）における蓋（６１０）と容器本体（６２０）との境界部分に取り付けられるものであって、支持体となる基材（４１）と、基材（４１）の片面に設けられたスリット部（１４）を有するアンテナ（１０）と、アンテナ（１０）に接続され且つアンテナ（１０）上に設けられたＩＣチップ（１１）と、基材（４１）の面のうちアンテナ（１０）及びＩＣチップ（１１）が設けられる側の面に、粘着剤層（４２）とを備える。取り付け方法は、ＩＣタグ付きシールの粘着剤層（４２）を介して、蓋（６１０）と容器本体（６２０）との両方に跨るようにアンテナ（１０）を取り付ける方法である。【特許請求の範囲】
【請求項１】
スリット部が形成されたアンテナと、前記アンテナに接合されたＲＦＩＤ用ＩＣチップとを備えたＩＣタグ付きシールを、蓋付き容器に取り付けるＩＣタグ付きシールの取り付け方法であって、
前記アンテナを、前記蓋付き容器の蓋と容器本体との両方に跨るようにして取り付けることを特徴とするＩＣタグ付きシールの取り付け方法。
【請求項２】
請求項１に記載のＩＣタグ付きシールの取り付け方法において、
前記ＩＣタグ付きシールを、前記スリット部と前記蓋付き容器の蓋とが重ならないようにして取り付けることを特徴とするＩＣタグ付きシールの取り付け方法。
【請求項３】
請求項１または請求項２に記載のＩＣタグ付きシールの取り付け方法において、
前記蓋付き容器は、導電性の蓋を備え、
前記ＩＣタグ付きシールを、前記スリット部と前記導電性の蓋とが重ならないようにして取り付けることを特徴とするＩＣタグ付きシールの取り付け方法。
【請求項４】
請求項１乃至請求項３のいずれか１項に記載のＩＣタグ付きシールの取り付け方法において、
前記ＩＣタグ付きシールは、
前記アンテナの一部を構成し、前記スリット部が形成されている第１アンテナ部と、
前記第１アンテナ部に接合されたＲＦＩＤ用ＩＣチップとを備えたＲＦＩＤインレットと、
前記ＲＦＩＤインレットと電気的に接続するように、予め所定の導電性材料により形成された、前記アンテナのうち前記第１アンテナ部以外の第２アンテナ部を有するタグ付きシールと
を備え、
前記第１アンテナ部と前記第２アンテナ部とを電気的に接続してアンテナを形成して、前記容器の蓋と容器本体との両方に跨るように取り付けることを特徴とするＩＣタグ付きシールの取り付け方法。
【請求項５】
請求項１乃至請求項４のいずれか１項に記載のＩＣタグ付きシールの取り付け方法において、
前記アンテナは、金属箔か又は導電性インキのいずれかで形成したことを特徴とするＩＣタグ付きシールの取り付け方法。
【請求項６】
蓋付き容器における蓋と容器本体との境界部分に被さるように取り付けられるＩＣタグ付きシールであって、
前記ＩＣタグ付きシールの支持体となるシート状の基材と、
前記基材の片面に設けられた、スリット部を有するアンテナと、
前記アンテナに接続され且つ前記アンテナ上に設けられたＩＣチップと、
前記基材の面のうち前記アンテナ及び前記ＩＣチップが設けられる側の面に、前記蓋付き容器に前記ＩＣタグ付きシールを取り付けるための粘着剤層と
を備え、
前記アンテナが前記蓋と容器本体との両方に跨ることができるように、該アンテナを前記基材の片面に配置してあることを特徴とするＩＣタグ付きシール。
【請求項７】
請求項６に記載のＩＣタグ付きシールにおいて、
前記ＩＣチップは、前記アンテナ上に、前記スリット部を跨るように取り付けられたことを特徴とするＩＣタグ付きシール。
【請求項８】
請求項６または請求項７に記載のＩＣタグ付きシールにおいて、
前記蓋付き容器の蓋は導電性を有し、
前記スリット部と前記導電性の蓋とが重ならないように取り付けられることを特徴とするＩＣタグ付きシール。
【請求項９】
請求項６乃至請求項８のいずれか１項に記載のＩＣタグ付きシールにおいて、
前記アンテナの一部を構成し、前記スリット部が形成されている第１アンテナ部と、
前記第１アンテナ部に接合されたＲＦＩＤ用ＩＣチップとを有するＲＦＩＤインレットと、
前記ＲＦＩＤインレットと電気的に接続するように、予め所定の導電性材料により形成された、前記アンテナのうち前記第１アンテナ部以外の第２アンテナ部を有するタグ付きシールと
を備えたことを特徴とするＩＣタグ付きシール。
【請求項１０】
請求項６乃至請求項９のいずれか１項に記載のＩＣタグ付きシールにおいて、
前記アンテナが、金属箔か又は導電性印刷インキのいずれかで形成されていることを特徴とするＩＣタグ付きシール。
【請求項１１】
請求項６乃至請求項１０のいずれか１項に記載のＩＣタグ付きシールにおいて、
前記境界部分に取り付けられる部分のシートに、易破損部が形成されていることを特徴とするＩＣタグ付きシール。
【発明の詳細な説明】
【技術分野】
【０００１】  本発明は、ＲＦＩＤ用ＩＣチップとアンテナとを有するＲＦＩＤインレットを実装したＩＣタグ付きシールであって、蓋付き容器に取り付けて使用されるＩＣタグ付きシールに関するものである。例えば、高級酒等を収容したキャップ付きボトル製品等の真贋を見分けるために、真正製品のキャップ付きボトルに取り付けるＩＣタグ付きシールに関するものである。
【背景技術】
【０００２】  従来、物品を収容した蓋付き容器においては、「バーコード（１次元バーコード、２次元バーコード）」や「ＩＣタグ付きシール」などが生産管理用として利用されている。特に、情報量の観点からＩＣタグ付きシールが利用されることが多い。【０００３】  例えば、高級酒等の物品を収容したキャップ付きボトル製品においては、日本国特許公開２００４−１８００３号公報に記載されているような「ＩＣタグ付きシール」を利用することができる。具体的には、当該「ＩＣタグ付きシール」をボトル製品のキャップに貼り付けて、その「ＩＣタグ付きシール」から得られる情報を製品の真贋を見分けるために利用する。
【発明の開示】
【０００４】［発明が解決しようとする課題］
しかしながら、上述したような「ＩＣタグ付きシール」は、ボトルのキャップ等に取り付けられるものである。
【０００５】  そのため、「ＩＣタグ付きシール」が取り付いたキャップを付け替えれば、容易に贋物が作られる可能性がある。そして、贋物が作られた場合には、「ＩＣタグ付きシール」から得られる情報を利用しても、製品の真贋を正しく見分けることが困難である。
【０００６】  本発明は、斯かる従来技術の問題を解決するべくなされたものであり、蓋付き容器内の製品が、真正製品であるか贋物製品であるかを正しく見分けることができるＩＣタグ付きシール及びその取り付け方法を提供することを課題とする。
【０００７】［課題を解決するための手段］
本発明は、前記課題を解決するために、次のＩＣタグ付きシール及びその取り付け方法を提供する。
【０００８】（１）ＩＣタグ付きシールの取り付け方法
スリット部が形成されたアンテナと、アンテナに接合されたＲＦＩＤ用ＩＣチップとを備えたＩＣタグ付きシールを、蓋付き容器に取り付けるＩＣタグ付きシールの取り付け方法であって、アンテナを蓋付き容器の蓋と容器本体との両方に跨るようにして取り付けるＩＣタグ付きシールの取り付け方法。
【０００９】（１−２）第２のＩＣタグ付きシールの取り付け方法
スリット部が形成されたアンテナと、アンテナに接合されたＲＦＩＤ用ＩＣチップとを備えたＩＣタグ付きシールを、蓋付き容器に取り付けるＩＣタグ付きシールの取り付け方法であって、ＩＣタグ付きシールは、アンテナの一部を構成しスリット部が形成されている第１アンテナ部と、第１アンテナ部に接合されたＲＦＩＤ用ＩＣチップとを備えたＲＦＩＤインレットと、ＲＦＩＤインレットと電気的に接続するように、予め所定の導電性材料により形成された、アンテナのうち第１アンテナ部以外の第２アンテナ部を有するタグ付きシールとを備え、第１アンテナ部と第２アンテナ部とを電気的に接続してアンテナを形成して、容器の蓋と容器本体との両方に跨るように取り付けるＩＣタグ付きシールの取り付け方法。
【００１０】（２）ＩＣタグ付きシール
（２−１）第１のＩＣタグ付きシール
蓋付き容器における蓋と容器本体との境界部分に被さるように取り付けられるＩＣタグ付きシールであって、ＩＣタグ付きシールの支持体となるシート状の基材と、基材の片面に設けられスリット部を有するアンテナと、アンテナに接続され且つアンテナ上に設けられたＩＣチップと、基材の面のうちアンテナ及びＩＣチップが設けられる側の面に、蓋付き容器にＩＣタグ付きシールを取り付けるための粘着剤層とを備え、アンテナが蓋と容器本体との両方に跨ることができるように、アンテナを基材の片面に配置してあるＩＣタグ付きシール。
【００１１】（２−２）第２のＩＣタグ付きシール
蓋付き容器における蓋と容器本体との境界部分に被さるように取り付けられるＩＣタグ付きシールであって、アンテナの一部を構成し、スリット部が形成されている第１アンテナ部と、第１アンテナ部に接合されたＲＦＩＤ用ＩＣチップとを有するＲＦＩＤインレットと、ＲＦＩＤインレットと電気的に接続するように、予め所定の導電性材料により形成された、アンテナのうち第１アンテナ部以外の第２アンテナ部を有するタグ付きシールとを備えたＩＣタグ付きシール。
【００１２】［発明の効果］
以上説明したように本発明によると、蓋付き容器内の製品が、真正製品であるか贋物製品であるかを正しく見分けることができるＩＣタグ付きシール及びその取り付け方法を提供できる。
【図面の簡単な説明】
【００１３】
【図１】本発明の第１の実施形態に係るＩＣタグ付きシール４００に実装されるＲＦＩＤインレット１００の一例を示す概略平面図である。
【図２】同実施形態に係るＲＦＩＤインレット１００の概略側面図である。
【図３Ａ】同実施形態に係るＩＣタグ付きシール４００の一例を示す概略平面図である。
【図３Ｂ】同実施形態に係るＩＣタグ付きシール４００と蓋付き容器６００との概略断面図である。
【図４Ａ】同実施形態に係るＩＣタグ付きシール５００におけるＲＦＩＤインレット１００’の一例を示す概略平面図である。
【図４Ｂ】同実施形態に係るＩＣタグ付きシール５００におけるタグ付きシール４１’の概略平面図である。
【図４Ｃ】同実施形態に係るＩＣタグ付きシール５００と蓋付き容器６００との概略断面図である。
【図５Ａ】同実施形態に係るＩＣタグ付きシール５００におけるＲＦＩＤインレット１００’の概略平面図である。
【図５Ｂ】同実施形態に係るＲＦＩＤインレット１００’の概略分解側面図である。
【図６Ａ】同実施形態に係るＩＣタグ付きシール４００の概略平面図である。
【図６Ｂ】同実施形態に係るＩＣタグ付きシール５００におけるＲＦＩＤインレット１００’の概略平面図である。
【図６Ｃ】同実施形態に係るＩＣタグ付きシール５００におけるタグ付きシールの概略平面図である。
【図７】同実施形態に係る比較例及び実施例で測定したアンテナ長と通信距離との関係を示す実測データのグラフである。
【図８】同実施形態に係る比較例で用いたＲＦＩＤインレットの概略平面図である。
【図９】同実施形態に係る比較例で用いたＲＦＩＤインレットの一部の拡大平面図である。
【図１０】本発明の第２の実施形態に係る製品真贋システムの構成の一例を示す模式図である。
【図１１】本発明の第３の実施形態に係るアンテナ１０とＩＣチップ１１との接続状態の概念を示す図である。
【発明を実施するための最良の形態】
【００１４】  以下、本発明の実施の形態について図面を参照しながら説明する。【００１５】＜第１の実施形態＞
図１は本発明の第１の実施形態に係るＩＣタグ付きシール４００に実装されるＲＦＩＤインレット１００の一例を示す概略平面図である。図２は図１に示すＲＦＩＤインレット１００の概略側面図である。【００１６】  ＲＦＩＤインレット１００は、アンテナなどの支持体となるシート１２と、このシート１２の表面に設けられた金属箔等の導電体からなるアンテナ１０と、このアンテナ１０に配設されたＲＦＩＤ用のＩＣチップ１１と、このＩＣチップ１１をアンテナ１０に接合して封止めする封止樹脂１３とを備える。なお、ＲＦＩＤインレット１００は、例えば、１／２波長型アンテナで機能するものである。【００１７】  アンテナ１０は、例えば、Ａｌ、Ｃｕ、Ｎｉ、Ｓｎ、Ａｇ、又はＡｕ等の金属のいずれか１以上を使用した導電体（代表例はその金属箔等）をエッチング等で所望のパターンに形成したものが好ましい。あるいは、印刷インキ中に前記金属類の粒子のいずれかを分散することで導電性を持たせた導電性インキを印刷することにより所望のパターンに形成したものが好ましい。尚、この導電性印刷インキの導電性材料は、前記金属類の粒子と金属類以外の導電性材料である炭素（Ｃ）の粒子とを組み合わせて使用しても良い。これにより、金属類の使用量を低減することができ、低コスト化を図ることができる。【００１８】  アンテナ１０を構成する線路は、平面視（平面から見て）略蛇行状に形成される。すなわち、ＩＣチップ１１から長手方向の開放端側へ向かってそれぞれ延び、その他方側（図１中左方側）の延伸途中で約９０度の角度をもって繰り返して折り曲げられる。従って、アンテナ１０の線路には、ＩＣチップ１１から他方側のアンテナ開放端に向かう間に、延伸方向を中心線とする左右交互に外側へ開口した凹み部１６が複数形成される。尚、アンテナ１０を構成する線路は、前記略蛇行状のものには限られない。本発明では、アンテナの凡その外形は必ずしも限定されるべきものではないが、好適な他の代表例としては、平面視でほぼ棒状（長方形などの細長い形状）のものを挙げることができる。【００１９】  また、アンテナ１０の全長Ｌ２は、所望する通信距離などに応じて適宜設定される。しかし、アンテナ１０の長さは、共振調整回路としての機能を有している。そのため、アンテナ１０の長さは通信特性に大変重要な影響を与えるものである。最適なアンテナ１０の長さは動作条件により変わるが、アンテナ１０の周囲が空気である場合には、動作周波数のほぼ１／２波長が最適値となる。また、周囲が誘電体で覆われている場合には誘電体による波長短縮効果があるので、最適アンテナ長はこれより短くなる。アンテナ長がこれらの値より短くなると急速に通信特性が低下して、このアンテナ１０に接合されたＩＣチップ１１と外部のＩＣリーダー等との通信が不能となる。本実施形態においては、例えば、２０ｍｍ〜３０ｍｍ程度の長さに形成したアンテナ１０を用いることができる。【００２０】  ＩＣチップ１１は、アンテナ１０の長手方向において一方側（図１中右方側）に配置されているＬ字状のスリット部１４の他方側（図１中左方側）の端部に配置される。【００２１】  このＩＣチップ１１には、例えば、非常に小さなＩＣチップとして（株）日立製作所製のミューチップ（登録商標）を使用することができる。ミューチップ（登録商標）においては、２．４５ＧＨｚ程度のＲＦ周波数で外部のＩＣリーダー等と通信することができる。ただし、ＩＣチップ１１は、上記ミューチップ（登録商標）には限定されない。【００２２】  シート１２は、具体的には、比較的薄い平面短冊状の、例えば樹脂フィルムからなり、ポリイミドやポリエチレンナフタレート（ＰＥＮ）、ポリエチレンテレフタレート（ＰＥＴ）などの樹脂フィルムを好適に使用できる。あるいは、脆弱性を有する脆性基材、例えば紙、脆質の樹脂シート、脆質の塩化ビニル・シートを好適に使用できる。後者の脆性基材は、蓋を開封する際に一緒にアンテナも破断させる意図から好ましい。尚、シート１２の厚みは本発明のシールに使用できればよく、必ずしも限定されるものではない。ただし、目安としては約９μｍ〜１００μｍ程度のものを用いることが好ましい。さらに、加工時における作業性の良さを考慮すると、２５〜１００μｍ程度のものを用いることが好ましい。【００２３】  スリット部１４は、アンテナ特性のインピーダンスマッチングを行うものである。本実施形態においては、スリット部１４の全長Ｌ１は５ｍｍ程度のものを用いることができる。また、スリットの開口からアンテナ１０の端面までの距離Ｌ１’は、１０ｍｍ程度のものを用いることができる。【００２４】  また、シート１２には、シート１２の一部を切断した線状の切り込み部１５（易破損部の一例）が形成されている。この切り込み部１５は、シート１２の端縁部から凹み部１６の開口領域を通過し、凹み部１６で囲われる領域内の所定位置に至るまで形成される。また、ＩＣタグ付きシール４００が蓋付き容器６００の導電性の蓋６１０と容器本体６２０との両方に跨るように取り付けられるときには（図３Ｂ参照）、導電性の蓋６１０と容器本体６２０との境界近傍に切り込み部１５が位置するように、ＩＣタグ付きシール４００が取り付けられる。【００２５】  上述したように、シート１２に形成される易破損部としては線状の切り込み部が好ましい。切り込み部１５の形成は、例えば、ミシン目を形成したり、シートの一部を（又は全部を）脆弱化したり、あるいはシートの厚み方向に略Ｖ字状の刻み目（いわゆるハーフカット）を形成したりすることにより行う。なお、切り込み部１５が凹み部１６まで達していなくても易破損性の効果は生じる。【００２６】  また、シート１２自体を脆弱性の有する基材により形成して、ＲＦＩＤインレット１００を破損し易くしてもよい。脆弱性を有する基材としては、フィルムベースの基材、紙、塩化ビニル等が挙げられる。また、可塑剤を入れた基材を用いてもよい。可塑剤の例としては低分子量の材料（例えばオイル類、等）が挙げられる。このような材料を添加した基材を使用して脆弱性を有するシート１２を形成することにより、易破損性の効果を出すことができる。【００２７】  次に、ＲＦＩＤインレット１００を実装したＩＣタグ付きシール４００について説明する。【００２８】  図３ＡはＩＣタグ付きシール４００の一例を示す概略平面図である。図３ＢはＩＣタグ付きシール４００と蓋付き容器６００との概略断面図である。【００２９】  ＩＣ��グ付きシール４００は、蓋付き容器６００に取り付けて使用されるものである。具体的には、高級酒等の物品６３０を収容するボトル（蓋付き容器）６００の金属製キャップ（導電性の蓋）６１０を封印する封印シールとしてボトル６００に貼り付けて使用される。【００３０】  このＩＣタグ付きシール４００は、紙や樹脂シートからなる基材４１の裏面に、ＲＦＩＤインレット１００が接着剤などを介して固着されたものである。また、この基材４１の裏面残部とＲＦＩＤインレット１００には粘着剤層４２が塗布されて覆われる。なお、基材４１の表面側には、希望や必要に応じて商標や美麗な絵柄等の印刷が適宜施される。尚、図３Ａでは基材４１の形状は単純な矩形で表されているが、本発明ではＩＣタグ付きシールの基材４１を必ずしも矩形に限定するものではない。すなわち、蓋付き容器等の取り付け箇所の立体的形状に巧く沿ってＩＣタグ付きシールを取り付けられるように、基材の形状やアンテナ等の配置を適宜工夫することができる。【００３１】  基材４１としては、インレット１００とともに壊れ易い比較的脆質のものを用いることが好ましい。例えば、上質紙、中質紙、更紙などの紙や脆質の塩化ビニル樹脂シート、ポリエチレン樹脂シート、合成紙などのいずれかが使用できる。その他に、例えば、加熱により約３０％〜５０％程度収縮するＰＥＴ（ポリエチレンテレフタレート）、ポリスチレン、塩化ビニル、又はポリプロピレンなどのいずれかの樹脂フィルムも基材４１として使用することができる。ここで、後者の樹脂フィルムを使用した場合には、本発明のＩＣタグ付きシール４００を、いわゆるシュリンクラベル（別名、熱収縮性ラベル）として好適に使用できる。すなわち、本発明のＩＣタグ付きシール４００をボトル及び蓋に架かる所望する場所に貼り付けた後に適宜加熱することで、基材４１がボトル及び蓋のそこの立体的形状に沿って馴染むように収縮する。その為、ＩＣタグ付きシール４００の好適な取り付けが可能になる。尚、基材４１の厚みは特に限定されないが、例えば上質紙の場合には、８０μｍ〜１００μｍ程度のものを用いることが好ましい。【００３２】  粘着剤層４２としては、通常のタックラベルで用いられている汎用的な粘着剤又はディレードタック型粘着剤などの他に、常温で粘着性を示さず且つ加熱されて粘着性を生じる感熱接着剤などを用いることができる。【００３３】  次に、このＩＣタグ付きシール４００の蓋付き容器６００への貼り付け方法を説明する。なお、本実施形態において、蓋付き容器６００は、高級酒等の液体物品６３０を収容する金属製キャップ付きボトル等とする。また、金属製キャップの材質は、アルミニウム等の導電性のある材質とする。【００３４】  本実施形態においては、図３Ｂに示すように、ＲＦＩＤインレット１００を実装したＩＣタグ付きシール４００を、ＲＦＩＤインレット１００におけるアンテナ１０がボトル６００の金属製キャップ６１０とボトル本体６２０との両方に跨るように貼り付ける。【００３５】  この際、アンテナ１０に形成されたスリット部１４が金属製キャップ６１０とは重ならないところに位置するようにする。【００３６】  また、アンテナ１０の下端部１０’がボトル６００内に収容��た高級酒等の液体物品６３０の液面６３０ａより上に位置するように貼り付ける。【００３７】  なお、キャップ６１０の材質は、例えば、アルミニウム等の導電材料からなっているものとする。またＩＣタグ付きシール４００は、ＲＦＩＤ用ＩＣチップ１１がボトル本体６２０側に対向するように貼り付けられる。つまり、ボトル本体６２０と基材４１との間にＲＦＩＤ用ＩＣチップ１１が配置される位置関係になるように貼り付けられる。尚、アンテナ１０は、一般に概略ほぼ細長い形状に設けてある。また、蓋とボトルとに跨るようにアンテナ１０を貼り付け易くする為に、ＩＣタグ付きシール４００におけるアンテナ１０の長手方向の好ましい向きを予め定めておく。そして、その定めた向きになるように、ＩＣタグ付きシール４００を蓋付き容器に貼り付ける。つまり、最も一般的なボトル（蓋付き容器）の場合を例にとると、そのボトル（蓋付き容器）６００は蓋が最上部に位置し、その直下にボトルの首部分が鉛直方向に沿って繋がった形態を成している。この場合、ＩＣタグ付きシール４００がボトルに取り付けられた際に、所望する位置で鉛直方向に沿う向きにアンテナ１０が取り付けられるようにするために、個々のＩＣタグ付きシール４００の基材４１上のしかるべき場所にアンテナ１０をしかるべき向きにして設けておく。【００３８】  以上説明したように、ＩＣタグ付きシール４００は、基材４１の上に、ＲＦＩＤインレット１００と粘着剤層４２とを実装している。これにより、基材４１と粘着剤層４２とを使って、ＲＦＩＤインレット１００をボトル（蓋付き容器）に取り付けることができる。【００３９】  具体的には、ＲＦＩＤインレット１００におけるアンテナ１０がボトル６００の金属製キャップ（導電性の蓋）６１０とボトル本体６２０との両方に跨るように、且つ、アンテナ１０に形成されたスリット部１４を金属製キャップ６１０に重ならないところに貼り付けることができる。そのため、蓋付き容器６００に取り付けた際のＩＣタグ付きシール４００からの通信を良好に行うことができる。【００４０】  すなわち、本発明のＩＣタグ付きシール４００上に設けてあるアンテナ１０の一部が蓋付き容器６００の導電性の蓋６１０に重なるように貼り付ければ、導電性の蓋６１０とアンテナ１０とが全体としてアンテナとして作用する。これによって、アンテナ１０のアンテナ長がある程度短くても所望する通信距離が得られる。その為、ＲＦＩＤインレット１００におけるアンテナ１０のアンテナ長を短くすることができる。アンテナ１０のアンテナ長が短くなれば、傾向として、製造コスト中の材料費の節約とか、アンテナ１０の発見され難さに繋がるので好ましい。尚、導電性の蓋６１０の表面は、導電性材料が露出している方が好ましい。ただし、たとえ塗装が施され導電性材料が露出していない場合であっても、通常程度の塗装であればほぼ同様の効果が得られる。さらに、蓋付き容器６００の側面からの通信だけでなく、導電性の蓋６１０の頂部からの通信が可能となるので、ＩＣタグ付きシール４００からの通信をそれだけ良好に行うことができる。これにより、例えば、製造工程時の検査及び販売小売店等での真贋の見分けを容易に行うことができる。【００４１】  ���た、アンテナ１０に形成されたスリット部１４は、アンテナ特性のインピーダンスマッチングを行うことができる。そこで、ＩＣタグ付きシール４００を蓋付き容器６００へ取り付けたときに、スリット部１４を導電性の蓋６１０に重ならないように貼り付けることにより、アンテナ特性への影響を少なくすることができる。これにより、蓋付き容器６００にＩＣタグ付きシール４００を取り付けた際に、ＩＣタグ付きシール４００からの通信をさらに良好に行うことができる。【００４２】  なお、スリット部は、使用するＩＣチップとインピーダンスが巧く合うように形成されている。この場合、仮にスリット部が導電性の蓋６１０と重ねられた状態では、蓋の導電性の影響により実質的なインピーダンスが当初の適切な範囲からずれてしまう。その為に、例えば利用する波長が不適切な波長に変化してしまう等の不具合を招く。すなわち、このＩＣタグのＩＣチップとデータ通信を行おうとしてもデータ通信が巧く出来ないか又は全く出来ないことになる。【００４３】  さらに、ＩＣタグ付きシール４００を蓋付き容器６００へ取り付けたときに、ＲＦＩＤインレット１００におけるアンテナ１０を蓋付き容器６００の導電性の蓋６１０と容器本体６２０との両方に跨るようにしているので、蓋６１０を一度開けると、当該シールに実装されたＲＦＩＤインレット１００のアンテナ１０の少なくとも一部が破断される。このため、ＲＦＩＤインレット１００を贋物に再使用することは困難であり、ＩＣタグ付きシール４００の付け替えは困難である。そのため、ＩＣタグ付きシールを付け替えて贋物製品を製造したとしても、真正製品と贋物製品とを正しく見分けることができる。【００４４】  なお、本実施形態に係るＩＣタグ付きシール４００には、アンテナ１０にスリット部１４が形成されており、スリット部１４を跨るようにＩＣチップ１１を配置することができる。【００４５】  また、ＩＣチップ１１を容器本体６２０に対向するように配置することにより、ＩＣチップ１１の出っ張りを減らすことができる。これにより、蓋付き容器６２０の取り扱い等においてＩＣチップ１１へのダメージを低減させることができる。例えば蓋付き容器であれば、その立体的形状は、容器の首部の蓋の下端辺りに凹部が設けてある場合も珍しくない。この凹部にＩＣチップが巧く配置されるようにすることは、そのダメージを低減する効果がいっそう高まるので好ましい。【００４６】  また、本実施形態においては、ＩＣチップ１１として、前記ミューチップ（登録商標）を使用した場合には、通信周波数帯は２．４５ＧＨｚ程度とすることができる。ところが、この帯域（２．４５ＧＨｚ）の電波は液体に吸収され易い。そのため、仮にアンテナ１０が液体部分に重なる高さに配置されると、電波の送受信が困難になる。そこで、アンテナ１０を液面から離しておくことが好ましい。かかる観点から、例えば、高級酒等の液体物品を収容した容器にＩＣタグ付きシール４００を取り付ける場合には、ＩＣタグ付きシール４００におけるアンテナ下端部を、容器内に収容した液体物品の液面より上に位置するように取り付けることが好ましい。こうすることで、前記アンテナ１０を、蓋付き容器６００内の液体が在る高さから離すことができる。これにより、アンテナ１０において、良好に電波を送受信することができる。もしくは、前述したアンテナの一部の役目を果たす金属製の蓋６１０とアンテナ１０との組み合わせにおいて、良好に電波を送受信することができる。【００４７】  さらに、ＩＣタグ付きシール４００では、ＲＦＩＤインレット１００においてシート１２の端縁部に易破損部１５が形成される。これにより、キャップ６１０を開栓するときにキャップ６１０とボトル本体６２０との境界近傍からインレット１００のアンテナ１０を破断し易くすることができる。よって、ＲＦＩＤインレット１００の再使用を実質上不可能とすることができる。また、その他の具体策として、ＲＦＩＤインレット１００に脆性基材を使用してもよい。脆性基材を使用した場合、キャップ６１０を開栓するとアンテナ１０が容易に破断してしまう。その為、ＲＦＩＤインレット１００の再使用を実質不可能にできる。【００４８】  なお、ここで、再使用が実質上不可能とは、アンテナが破断（例えば、ＩＣチップと接続してあるアンテナのスリット部付近が破損）することで、そのままではデータ通信が不能になることである。若しくは、破断したアンテナを仮に繋ぎ合わせて再生する等を試みたとしても、加工精度等の問題から再生できず、データ通信が不能になることである。破断したアンテナの再生は、例えば、ＩＣチップをアンテナのスリット部付近の適切な箇所に接続することにより行うが、巧く再生できる可能性が極めて低く現実的には殆ど再生不能である。【００４９】  （ＩＣタグ付きシールの他の例）
次に本実施形態に係るＩＣタグ付きシールの他の例について説明する。【００５０】  図４ＡはＩＣタグ付きシール５００におけるＲＦＩＤインレット１００’の一例を示す概略平面図である。図４ＢはＩＣタグ付きシール５００におけるタグ付きシール４１’の概略平面図である。図４ＣはＩＣタグ付きシール５００と蓋付き容器６００との概略断面図である。【００５１】  以下、図４に示すＩＣタグ付きシール５００について図３に示すＩＣタグ付きシール４００と異なる点を中心に説明し、共通する部分については説明を省略する。なお、図４において図３に示すＩＣタグ付きシール４００と実質的に同じ構成及び作用を有する部材については同じ参照符号を付してある。【００５２】  ＩＣタグ付きシール５００は、前記のＩＣタグ付きシール４００と同様に、高級酒等の液体をはじめとする物品６３０を収容するボトル６００の金属製キャップ６１０を封印する封印シールとしてボトル６００に貼り付けて使用されるものである。【００５３】  このＩＣタグ付きシール５００は、ＲＦＩＤインレット１００’と、タグ付きシール４１’とを備えている。【００５４】  ＲＦＩＤインレット１００’は、スリット部１４が形成されていてアンテナ１０の一部を構成する第１アンテナ部１０ａと、第１アンテナ部１０ａに接合されたＲＦＩＤ用のＩＣチップ１１とを備えるものである。【００５５】  詳しくは、ＲＦＩＤインレット１００’は、アンテナなどの支持体となるシート１２と、このシート１２の表面に設けられたアンテナ１０の一部を構成する第１アンテナ部１０ａと、ＲＦＩＤ用ＩＣチップ１１と、封止樹脂１３とから構成される。第１アンテナ部１０ａを構成する線路は、ＩＣチップ１１から長手方向の開放端側へ向かってそれぞれ延びているとともにスリット部１４が形成される。また、その他方側（図４Ａ中上方側）の延伸途中で約９０度の角度をもって繰り返して折り曲げられることにより平面視（平面から見て）略蛇行状に形成される（図４Ａ参照）。尚、アンテナの凡その外形は前記同様、必ずしも限定されるべきものではないが、好適な他の代表例としては、平面視でほぼ棒状（長方形などの細長い形状）のものを挙げることができる。さらに、他方側（図４Ａ中上方側）端で裏面に折り返され、接続部１０ａ’が形成される。また、接続部１０ａ’は、この裏面において、タグ付きシール４１’における第２アンテナ部１０ｂの接続部１０ｂ’に電気的に接続される（図４Ｂ参照）。【００５６】  タグ付きシール４１’は、予め所定の導電性材料（例えば、導電性インキ等）により、アンテナ１０の他の一部を構成する第２アンテナ部１０ｂが形成されるものである（図４Ｂ参照）。また、タグ付きシール４１’には粘着剤層４２が形成されている。粘着剤層４２は、少なくとも第２アンテナ部１０ｂのＲＦＩＤインレット１００’における第１アンテナ部１０ａと接触するべき部分及びその周辺部分（図４Ｃ中Ｑの内側部分）を除いて全面的に形成される。なお、図４Ｂにおける符号Ｐは、ＲＦＩＤインレット１００’がタグ付きシール４１’において配置される位置を示している。【００５７】  また、ＩＣタグ付きシール５００は、図５Ａ及び図５Ｂに示すように構成されていてもよい��すなわち、ＲＦＩＤインレット１００’は、アンテナなどの支持体となるシート１２と、このシート１２のタグ付きシール４１’に対向する側の面に設けられたアンテナ１０の一部を構成する第１アンテナ部１０ａと、ＩＣチップ１１と、封止樹脂１３とから構成されていてもよい。【００５８】  ここでは、アンテナ部１０ａを構成する線路がＩＣチップ１１から長手方向の開放端側へ向かってそれぞれ平面視矩形状に延びているとともに、スリット部１４が形成される。また、タグ付きシール４１’のＲＦＩＤインレット１００’に対向する側の面には、導電性インキ等によって、アンテナ１０の他の一部を構成する第２アンテナ部１０ｂが形成される。【００５９】  これにより、ＲＦＩＤインレット１００’における第１アンテナ部１０ａの一方側（図４Ｃ中左方側）端部である接続部（接合部）１０ａ’と、タグ付きシール４１’における第２アンテナ部１０ｂの他方側（図４Ｃ中右方側）端部である接続部（接合部）１０ｂ’とで、相互に電気的に接続することができる。【００６０】  なお、シート１２及びタグ付きシール４１’上には、図５Ｂに示すように、粘着剤層４２が形成されている。この場合、粘着剤層４２はシート１２又はタグ付きシール４１’の少なくともどちらかに形成されていればよい。いずれにしても、第１アンテナ部１０ａと第２アンテナ部１０ｂとを電気的に接合する場合には、例えば、接合部１０ａ’と接合部１０ｂ’とで直接的に接合すればよい。あるいは、第１アンテナ部１０ａと第２アンテナ部１０ｂとを、接合部１０ａ’と接合部１０ｂ’とで導電性樹脂等の導電性材料を介して接合してもよい。【００６１】  次に、このＩＣタグ付きシール５００の金属製キャップ付きボトル６００への貼り付け方法を説明する。【００６２】  まず、図４Ｃに示すように、ＲＦＩＤインレット１００’のアンテナ部１０ａを、タグ付きシール４１’のアンテナ部１０ｂに電気的に接続されるように実装する。【００６３】  その後、第１アンテナ部１０ａと第２アンテナ部１０ｂとからなるアンテナ１０を、ボトル６００のキャップ６１０とボトル本体６２０との両方に跨るように貼り付ける。【００６４】  この際、第１アンテナ部１０ａに形成されたスリット部１４が金属製キャップ６１０とは重ならない位置に貼り付ける。また、第１アンテナ部１０ａの接続部１０ａ’と第２アンテナ部１０ｂの接続部１０ｂ’とが、ボトル６００の金属製キャップ６１０とボトル本体６２０との境界領域に位置するようにＩＣタグ付きシール５００を作成し、それらの接続部をその境界領域に配置させる。【００６５】  さらに、アンテナ１０下端部１０’がボトル６００内に収容した高級酒等の液体物品６３０の液面６３０ａより上に位置するように貼り付ける。【００６６】  さらに、ＩＣタグ付きシール５００におけるＲＦＩＤ用のＩＣチップ１１が、ボトル本体６２０に対向するように貼り付ける。【００６７】  なお、ＩＣタグ付きシール５００におけるＲＦＩＤインレット１００’においては、アンテナ１０の形状の一部が平面視略蛇行状のものであるが、矩形状のものであってもよい。具体的には、図６Ａに示すような矩形状のＲＦＩＤインレット１００を用いても良い。また、図６Ｂに概略平面図を示すようなＲＦＩＤインレット１００’と、図６Ｃに概略平面図を示すようなＩＣタグ付きシール５００とを用いても良い
以上説明したように、ＩＣタグ付きシール５００を金属製キャップ付きボトル６００に貼り付けることにより、金属製キャップ６１０がアンテナの役割を果たすので、ＩＣタグ付きシール５００からの通信を良好に行うことができる。【００６８】  また、ＩＣタグ付きシール５００は、ＲＦＩＤインレット１００’における第１アンテナ部１０ａとタグ付きシール４１’における第２アンテナ部１０ｂとの接続部１０ａ’、１０ｂ’を、ボトル６００のキャップ６１０とボトル本体６１０との境界領域に位置するように貼り付けるので、接続部１０ａ’、１０ｂ’における易破損性を高めることができる。【００６９】なお、タグ付きシール４１’に第２アンテナ部１０ｂを予め形成しておく導電性材料としては、代表的には、導電性のインキ等を挙げることができる。アンテナ１０の全部を導電性インキで形成してもよい。【００７０】  以下、実施例を比較例とともに示し、本発明をさらに詳述する。【００７１】  （比較例）
比較例ではＲＦＩＤインレットとそのＲＦＩＤインレットを実装したＩＣタグ付きシールとの通信距離を測定した。【００７２】  ＲＦＩＤインレットに用いるアンテナとして、幅２．５ｍｍ×長さ６０ｍｍ×厚み５０μｍのＰＥＴフィルムの一面に、厚み２０μｍのアンテナを形成した。アンテナは、図８及び図９に示すような形状であり、振れ幅Ｗ１：１．２ｍｍ、線路幅Ｗ２：０．４ｍｍ、凹み部の開口幅Ｗ３：０．４ｍｍ、スリット部の長さＬ１：１０ｍｍ、アンテナ全長Ｌ２：４８ｍｍに形成した。なお、アンテナ形成は圧延アルミ箔を積層したＰＥＴフィルムを用い、エッチング加工して形成した。【００７３】  アンテナ全長が４７ｍｍ、４６ｍｍ・・・、３０ｍｍまで、４８ｍｍ〜３０ｍｍまでの間で１ｍｍずつ短く形成した点を除いて、上記と同様にして、アンテナ長が１ｍｍずつ短い１９種類の試験片を作製した。【００７４】  この各試験片のスリット部の端部に、ＩＣチップ（商品名：ミューチップ、日立製作所製）を、市販の封止材を用いて超音波接合技術で接合した。【００７５】  さらに、各試験片の全ての凹み部に、ＰＥＴフィルムの縁部から凹み部の内側にまで、カッターを用いてシートを切断することによって切り込み部を形成した。【００７６】  このようにして得られた１９種類のＲＦＩＤインレットの通信距離をそれぞれ測定したところ、図７に示す鎖線「インレット単体」及び破線「紙タグ化」のようなグラフとなった。【００７７】  なお、「インレット単体」とはアンテナ１０とＩＣチップ１１のみが形成されたものであり、「紙タグ化」とは紙のシート４１上にＲＦＩＤインレット１００を実装したものである。紙タグ化すると、近くの誘電体によりアンテナ特性がシフトする。【００７８】（実施例）
実施例では、ＩＣタグ付きシールを金属製キャップ付きボトルに取り付けて通信距離を測定した。なお、本実施例で使用したＩＣタグ付きシールのサンプルは、第１の実施形態の図１，図２，図３Ａ，図３Ｂ，図３Ｃに示すような形状であり、スリット部の右側部分を取り除いてある以外は、前述の「インレット単体」や「紙タグ化」のものと実質上同じ構成である。【００７９】  本実施例では、ＩＣタグ付きシールを金属製キャップ付きボトルに取り付け、アンテナを左端側から１ｍｍずつ短くして通信距離を測定した。【００８０】  その結果、図７における「キャップ／ボトル取り付け」の実線で示される測定結果が得られた。なお、図７中の通信距離は比率を示している。図７に示すように、「キャップ／ボトル取り付け」の測定結果のアンテナ長は、同じ通信距離において「インレット単体」及び「紙タグ化」の場合より短くて済むことが分かる。【００８１】＜第２の実施形態＞
本発明の第２の実施形態は、ＩＣタグ付きシール４００用いた製品真贋システムに関するものである。なお、第１の実施形態で説明した部分と同一部分には同一符号を付し、重複した説明を省略する。また、以下の各実施形態においても同様にして重複した説明を省略する。【００８２】  図１０は本発明の第２の実施形態に係る製品真贋システムの構成の一例を示す模式図である。【００８３】  製品真贋システムは、蓋付き容器６００に貼り付けるＩＣタグ付きシール４００と、ＩＣリーダー７００と、情報記憶部７１０と、情報処理部７２０とを備える。【００８４】  ＩＣタグ付きシール４００は、シート４１上に、ＩＣチップ１１とアンテナ１０とを備える。ＩＣチップ１１には、ＩＣチップ毎に個別に割り当てられる識別情報ＵＩＤが格納されている。ここでは、（株）日立製作所製のミューチップ（登録商標）を用いることができる。なお、実際のＩＣチップの大きさは大小様々であり、設計によるところも大きい。本発明はＩＣチップの大きさを限定するものではない。ただし、本発明のようなシールにＩＣチップが付けてあることを、偽造品対策の観点等から、なるべく気付かれにくくする事を望む場合には、ＩＣチップの隠蔽の仕方もさることながら、ＩＣチップ自体の小ささが一般に好影響となる。比較的小さなＩＣチップの一例を挙げると、その形状はほぼ方形の平板状で、その大きさは縦横が約０．４ｍｍ×０．４ｍｍ程度で、厚さはかなり薄いものが挙げられる。また、通信距離の長短はアンテナの大きさの大小も主要因の一つであり、この一例では最長で約１０ｃｍ〜２０ｃｍ程度である。【００８５】  蓋付き容器６００は、高級酒等のボトルであり、導電性の蓋６１０を備える。蓋付き容器６００には、導電性の蓋６１０と容器本体６２０とを跨るようにＩＣタグ付きシール４００が取り付けられる。【００８６】  ＩＣリーダー７００は、ＩＣチップ１１のＵＩＤ情報を読み取るものであり、読み取ったＵＩＤ情報を情報処理部７２０に送出する。【００８７】  情報記憶部７１０は、予め製品情報を記憶しているものである。具体的には、高級酒のボトル毎に貼り付けたＩＣタグ付きシール４００におけるＩＣチップ１１のＵＩＤ情報を記憶している。また、製品情報は、情報処理部７２０の命令に従って変更される。【００８８】  情報処理部７２０は、情報記憶部７１０に記憶されている製品情報を変更する処理を実行する。具体的には、製品の入荷時や在庫整理時にＩＣリーダー７００から送出されたＵＩＤ情報を情報記憶部７１０に追加し、製品の販売時にＩＣリーダー７００から送出されたＵＩＤ情報を情報記憶部７１０から削除する。【００８９】  次に、製品真贋システムの動作について説明する。【００９０】  まず、製品が購入される際に、販売員Ｐは小売店等のレジスターＲなどにおいてＩＣリーダー７００を用いて、製品の容器に貼り付けられたＩＣチップ１１からＵＩＤ情報を読み取る。【００９１】  続いて、読み取られたＵＩＤ情報が情報処理部７２０に送出される。【００９２】  そして、情報処理部７２０により、情報記憶部７１０に記憶されているＵＩＤ情報のうち購入された製品のＵＩＤ情報が削除される。【００９３】  これにより、購入された製品の容器の���を開けて、容器内の製品を取り出した後に、当該容器及びその容器に貼り付けられたＩＣタグ付きシール４００を用いて贋物製品を製造して販売しようとしても、ＵＩＤ情報が削除されていることから、市場に出回ったときに贋物製品であることを見分けることができる。【００９４】  本システムによれば、例えば高級酒の入った金属製キャップ付きボトルにおいて、ボトル内の高級酒を取り出した後に、安価な酒類を入れて偽造製品を販売することを抑止することができる。【００９５】＜第３の実施形態＞
本発明の第３の実施形態は、第１の実施形態におけるＲＦＩＤインレット１００の具体例を示すものである。【００９６】  図１１は本発明の第３の実施形態に係るＲＦＩＤインレット１００の概念を示す図であり、アンテナ１０とＩＣチップ１１との接触状態を示している。【００９７】  アンテナ１０は、スリット部１４を有している。このスリット部１４はインピーダンスマッチングの機能を有するものである。すなわち、スリット部１４の形状が壊されると、アンテナ１０の通信特性が変わり、アンテナ１０に取り付けられたＩＣチップ１１と外部のＩＣリーダー等との通信距離が大幅に短くなる。【００９８】  ＩＣチップ１１は、アンテナ１０と電気的に接続するためのバンプ１１Ａを備えている。ＩＣチップ１１はスリット部１４上に跨るように搭載される。この際、スリット部１４の両側において、アンテナ１０とバンプ１１Ａとが電気的に接続される。これにより、ＩＣチップと外部のＩＣリーダー等との通信が可能にする。【００９９】  なお、ＩＣチップの凡その形状、大きさ、通信距離、等に関しては、第２の実施形態に述べたものと同一である。【０１００】  以上説明したように、スリット部１４の形状が壊されると、アンテナ１０に取り付けられたＩＣチップ１１と外部のＩＣリーダー等との通信距離が大幅に短くなる。このことから、本実施形態に係るＩＣタグ付きシールを、製品の真贋の判定に応用することができる。【０１０１】  具体的には、ＩＣタグ付きシール４００を蓋付き容器６００の導電性の蓋６１０と容器本体６２０との両方に跨るように貼り付けることとする。【０１０２】  これにより、蓋６１０を外そうとするとスリット部１４の形状が壊れる。すなわち、蓋６１０を外して容器本体６２０内の真正製品を贋物製品に取り替えた後、その蓋６１０と容器本体６２０とＩＣタグ付きシール４００とを再利用して贋物製品を製造しようとしても、ＩＣタグ付きシール４００を付け替える際にスリット部１４の形状が壊れる。【０１０３】  そして、スリット部１４の形状が壊れていると、アンテナ１０に取り付けられたＩＣチップ１１と外部のＩＣリーダー等との通信距離は大幅に短くなり、外部のＩＣリーダー等と通信できなくなる。【０１０４】  そこで、ＩＣタグ付きシール４００が貼り付けられた通信できない製品を贋物製品とみなすことにより、ＩＣタグ付きシール４００が付け替えられて贋物製品が製造されたとしても、真正製品と贋物製品とを正しく見分けることができる。【０１０５】  なお、本発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。更に、異なる実施形態に構成要素を適宜組合せてもよい。
【産業上の利用可能性】
【０１０６】  本発明によれば、蓋付き容器内の製品が、真正製品であるか贋物製品であるかを正しく見分けることができるＩＣタグ付きシール及びその取り付け方法を提供できる。
【図１】
2006016559.tif 000002
【図２】
2006016559.tif 000003
【図３Ａ】
2006016559.tif 000004
【図３Ｂ】
2006016559.tif 000005
【図４Ａ】
2006016559.tif 000006
【図４Ｂ】
2006016559.tif 000007
【図４Ｃ】
2006016559.tif 000008
【図５Ａ】
2006016559.tif 000009
【図５Ｂ】
2006016559.tif 000010
【図６Ａ】
2006016559.tif 000011
【図６Ｂ】
2006016559.tif 000012
【図６Ｃ】
2006016559.tif 000013
【図７】
2006016559.tif 000014
【図８】
2006016559.tif 000015
【図９】
2006016559.tif 000016
【図１０】
2006016559.tif 000017
【図１１】
2006016559.tif 000018
【国際調査報告】
2006016559.tif 000019
2006016559.tif 000020
2006016559.tif 000021
2006016559.tif 000022